(57)【特許請求の範囲】
【請求項１】
細長いベースプレートと、このベースプレートの表面に長さ方向に沿って表示されたメジャーと、前記ベースプレートを上下方向に伸びる状態で点滴用スタンドのポールに固定するためのポールクランプと、前記ベースプレートの長さ方向に沿って移動可能に配置された可動プレートと、この可動プレートを選定された位置において前記ベースプレートに対して固定するための固定手段と、前記可動プレートに設けられた、円筒状の容器を有する脳室ドレナージ回路を吊下するフックおよび当該脳室ドレナージ回路の胴部を保持する保持部材と、前記ベースプレートに設けられた、前記メジャーの零点レベルの位置から伸びる零点合わせ用基準バーとを備えてなり、
前記ベースプレートには、前記点滴用スタンドの上部ハンガー部に懸けられる、長さ調整が可能な安全ストラップが設けられていることを特徴とする脳室ドレナージ回路固定装置。
【請求項２】
零点合わせ用基準バーは、水平方向に伸びる基準表示状態と上下方向に伸びる収納状態との間で回動可能に支持されており、ベースプレートには、収納状態にある当該基準バーを係脱自在に保持する係止部が設けられていることを特徴とする請求項１に記載の脳室ドレナージ回路固定装置。
【請求項３】
ベースプレートにおいて、その幅方向の中央部分にメジャー表示領域が形成され、このメジャー表示領域の両側に、それぞれ、可動プレート移動支持領域および基準バー収納領域が設けられていることを特徴とする請求項１または請求項２に記載の脳室ドレナージ回路固定装置。
【請求項４】
少なくとも、ベースプレート、可動プレートおよび零点合わせ用基準バーが合成樹脂により形成されていることを特徴とする請求項１〜請求項３のいずれかに記載の脳室ドレナージ回路固定装置。
【請求項５】
ベースプレートを形成する合成樹脂が透明なものであることを特徴とする請求項４に記載の脳室ドレナージ回路固定装置。
【発明の詳細な説明】
【０００１】
【発明の属する技術分野】
本発明は、脳室ドレナージ回路固定装置に関し、詳しくは、脳室、脳槽、脊髄腔（スパイナル）などのための持続ドレナージに用いられる脳室ドレナージ回路を固定するための装置に関する。
【０００２】
【従来の技術】
脳神経外科領域の医療においては、例えば脳腫瘍、脳浮腫、頭部外傷、脳室内出血、クモ膜下出血などによる病態、例えば髄液循環障害、頭蓋内圧亢進、脳血管攣縮などを改善する目的で、脳室、脳槽、脊髄腔（スパイナル）に持続ドレナージが使用される。このような脳室ドレナージの適用においては、脳室圧が適正に調節された状態とするために、脳室ドレナージ回路における液滴吐出口の高さレベルを調節することが必要である。
【０００３】
具体的に説明すると、図６は、脳室ドレナージが適用されている状態の説明図であって、脳室ドレナージチューブ８０はその一端が患者Ｐの脳室内の目的個所に挿入されると共に、他端は脳室ドレナージ回路８２に接続される。この脳室ドレナージ回路８２は、通常、透明な材質よりなる円筒状容器８３と、脳室ドレナージチューブ８０に連結された吐出チューブ８４と、排出チューブ８６とを有しており、容器８３内において、吐出チューブ８４の先端は反転して下方を向いた液滴吐出口８５が形成されており、容器８３から下方に伸びる排出チューブ８６は、適宜の手段によって保持された排液バッグ９０に接続される。８７は脳室ドレナージ回路８２の吊下用紐、８８はフィルター、８９はチューブ用クランプである。
【０００４】
ここに、脳室ドレナージ回路８２の容器８３内における液滴吐出口８５はサイフォン構造を構成するものとされており、脳室からの液体が滴状に連続的に吐出されるが、患者Ｐの脳室のレベルＢと、当該容器８３内における液滴吐出口８５のレベルＬとの間の高さＨが調節されることにより、患者Ｐの脳室圧が適正に保たれる。従って、安定した脳室圧を確保するためには、当該脳室ドレナージ回路８２を患者Ｐに対して所望のレベルに固定的に保持することが必要であり、また脳室圧を変更するためには、脳室ドレナージ回路８２ののレベルを適宜調整し得ることが必要である。
【０００５】
以上のような脳室ドレナージ回路固定装置としては、従来、実公平３−４７６５４号公報および実公平３−４７６５５号公報に開示されているように、キャスターを有するスタンドに、メジャーが表示されたベースプレートを固定し、このベースプレート上を移動する可動プレートに、脳室ドレナージ回路をフックによって吊り下げる構成のものが提案されている。
【０００６】
しかしながら、このような構成の装置では、脳室ドレナージ回路が単にフックから吊り下げられているのみであるために不安定で揺動してフックから外れるおそれがある。そして、そのような事態が生じた場合には、脳室圧の急激な変化を生ずるために患者に大きな危険を招くこととなる。
また、上記の構成による装置は、スタンドを具えるものであるために全体が相当に大きなものとなり、非使用時の保管に大きな占有面積が必要であるうえ、病院内における使用上の便宜が十分に好適なものではなく、他の治療行為に邪魔になることも少なくない。
【０００７】
【発明が解決しようとする課題】
以上のように、従来の脳室ドレナージ回路固定装置においては、脳室ドレナージ回路を安定に保持することができず、また非使用時にもコンパクトに収納することができず、従って病院内での使用に十分便利なものではない、という問題点がある。
本発明は、以上のような事情に基いてなされたものであって、その目的は、脳室ドレナージ回路を安定に保持することのできる機能を有し、非使用時にはコンパクトに収納され、しかも病院内での使用に十分便利な脳室ドレナージ回路固定装置を提供することにある。
【０００８】
【課題を解決するための手段】
本発明に係る脳室ドレナージ回路固定装置は、細長いベースプレートと、このベースプレートの表面に長さ方向に沿って表示されたメジャーと、前記ベースプレートを上下方向に伸びる状態で点滴用スタンドのポールに固定するためのポールクランプと、前記ベースプレートの長さ方向に沿って移動可能に配置された可動プレートと、この可動プレートを選定された位置において前記ベースプレートに対して固定するための固定手段と、前記可動プレートに設けられた、円筒状の容器を有する脳室ドレナージ回路を吊下するフックおよび当該脳室ドレナージ回路の胴部を保持する保持部材と、前記ベースプレートに設けられた、前記メジャーの零点レベルの位置から伸びる零点合わせ用基準バーとを備えてなり、
前記ベースプレートには、前記点滴用スタンドの上部ハンガー部に懸けられる、長さ調整が可能な安全ストラップが設けられていることを特徴とする。
【０００９】
以上において、零点合わせ用基準バーは、水平方向に伸びる基準表示状態と上下方向に伸びる収納状態との間で回動可能に支持されており、ベースプレートには、収納状態にある当該基準バーを係脱自在に保持する係止部が設けられていることが好ましい。
【００１０】
また、ベースプレートにおいて、その幅方向の中央部分にメジャー表示領域が形成され、このメジャー表示領域の両側に、それぞれ、可動プレート移動支持領域および基準バー収納領域が設けられていることが好ましい。
そして、少なくとも、ベースプレート、可動プレートおよび零点合わせ用基準バーが合成樹脂により形成されていることが好ましく、更に、ベースプレートを形成する合成樹脂が透明なものであることが好ましい。
【００１１】
【発明の実施の形態】
以下、本発明の脳室ドレナージ回路固定装置について具体的に説明する。
図１は、本発明の脳室ドレナージ回路固定装置の一例の正面図、図２は、同装置の右側面図、図３は、同装置に、鎖線で示す脳室ドレナージ回路が装着された状態を示す正面図、図４は、同装置に、鎖線で示す脳室ドレナージ回路が装着され、かつ鎖線で示す点滴用スタンドのポールに固定された状態を示す右側面図、図５は、同装置の平面図である。
【００１２】
図において、１０は細長いベースプレートであって、その長さ方向中央の裏面側には、ポールクランプ１２が突出する状態で設けられている。このポールクランプ１２は、図４および図５に詳細に示されているように、点滴用スタンドのポール７０を受容する凹部１４が形成されたブロック１６と、当該凹部１４内に受容されたポール７０の外周を凹部１４の内壁面との間に押圧するクランプボルト１７とを有し、このクランプボルト１７により、当該ベースプレート１０が上下方向に伸びる状態でポール７０に固定される。
【００１３】
ベースプレート１０の表面側には、その幅方向の中央にメジャー表示領域２０が形成されており、このメジャー表示領域２０には、下端に零点Ｚを有し、圧力を例えば水柱長さで示すメジャー２２が表示されている。また、このメジャー表示領域２０の一側（図１で右側）は、後述する可動プレート３０を移動可能に支持する可動プレート移動支持領域２４とされ、これには上下方向に伸びるスリット２６が形成されている。また、メジャー表示領域２０の反対側（図１で左側）は、後述する零点合わせ用基準バー５０の収納領域５２とされている。
【００１４】
ベースプレート１０には、その表面に沿ってその長さ方向に移動可能な可動プレート３０が配設されている。この可動プレート３０は、メジャー表示領域２０上に位置されることとなるよう脳室ドレナージ回路８２を装着するための脳室ドレナージ回路装着用部分（以下、単に「装着用部分」という。）３０Ａと、この装着用部分３０Ａより移動支持領域２４上に突出する固定用部分３０Ｂとを有する。
この固定用部分３０Ｂには、上下方向に並ぶよう２つの固定ボルト３２が設けられており、スリット２６に挿通されたボルト軸には、ベースプレート１０の裏面側にナット３３（図５参照）が回転が禁止された状態で螺合されている。従って、これらの固定ボルト３２を緩めることにより、可動プレート３０は、スリット２６により上下方向に移動可能となり、固定ボルト３２を締めることにより、可動プレート３０は、任意のレベル位置でベースプレート１０に対して固定された状態となる。
【００１５】
可動プレート３０の装着用部分３０Ａには、その上端部に、脳室ドレナージ回路（図３および図４参照）８２の吊下用紐８７を懸けるためのフック３５が一体に設けられており、また下端部には、各々前方に突出して互いに幅方向に対向する一対の舌片からなり、脳室ドレナージ回路８２の胴部をその両側から挟持する脳室ドレナージ回路保持部材（以下、単に「保持部材」という。）３６が設けられている。
【００１６】
ベースプレート１０における収納領域５２には、その下端にブラケット４０が設けられており、このブラケット４０により、直線状に伸びる零点合わせ用基準バー５０の一端が、ベースプレート１０の厚み方向に伸びる回動軸Ｘの周りに回動自在に支持されており、これにより、当該基準バー５０は、上下方向に伸びて収納領域５２に位置された垂直状態（図に示されている状態）と、この垂直状態から矢印Ａで示すように外方（図１で左方）に９０度変位した水平状態との間で回動可能とされている。ここに、基準バー５０の回動軸Ｘは、メジャー２２の零点Ｚの位置と同一の高さレベルに位置される。
【００１７】
そして、図５に示すように、ベースプレート１０には、更に、横断面がＪ字状であって垂直状態の基準バー５０が自らの弾性によって係止される基準バーレスト５４が形成されると共に、ブラケット４０には、水平状態の基準バー５０を当該水平状態で支持するストッパー部５５が形成されている。
【００１８】
一方、図２に示すように、ベースプレート１０の上部には、これに形成された貫通孔に安全ストラップ６０が挿通されて設けられており、この安全ストラップ６０の先端には、当該安全ストラップ６０によるリングの長さを調整するためのストラップクリップ６２が設けられている。この安全ストラップ６０は、図４に示すように、点滴用スタンドの上部ハンガー部７２に懸けられるものである。
【００１９】
以上において、少なくとも、ベースプレート１０、可動プレート３０および基準バー５０はいずれも合成樹脂により形成されることが好ましく、これにより、全体が軽量となるので、収納、持ち運びが容易となる。また、特にベースプレート１０は透明な合成樹脂によって形成されることが好ましい。他の部材、例えばクランプボルト１７、固定ボルト３２なども合成樹脂により形成することができる。ここに、材料の合成樹脂としては、例えばアクリロニトリル−スチレン−スチレン樹脂、ポリエチレンテレフタレート樹脂、その他の適宜のものを用いることができる。ただし、上記の各部材の材質が合成樹脂に限られるものではなく、例えば金属を用いることも可能である。
【００２０】
以上の脳室ドレナージ回路固定装置は、次のようにして用いられる。
図４および図５に示すように、ベースプレート１０のポールクランプ１２を、点滴用スタンドのポール７０にクランプボルト１７により固定する。ここに固定されるベースプレート１０の高さレベルは、メジャー２２の零点Ｚがベッド上の患者の外耳孔に一致したレベルＢとされることが必要である。
【００２１】
具体的に説明すると、ポールクランプ１２をポール７０に仮固定し、基準バーレスト５４に自らの弾性で係止している基準バー５０を基準バーレスト５４から外して回動させ、垂直状態からストッパー部５５によって停止された水平状態、すなわち基準表示状態とする。そして、この基準バー５０の先端が患者の外耳孔に一致したレベルとなるよう、仮固定されているポールクランプ１２をポール７０に沿って上下方向に移動させてレベル調整を行い、クランプボルト１７を締めてポールクランプ１２を固定する。
【００２２】
このようにしてベースプレート１０の固定が達成された後は、基準バー５０によるベースプレート１０のレベル調節は基本的に不要であり、従って、基準バー５０は水平状態から収納領域５２における垂直状態に戻され、基準バーレスト５４に係止されて収納される。
【００２３】
以上のように、ベースプレート１０が、メジャー２２の零点Ｚの位置が設定された状態でポール７０に固定される。そして、この状態で、安全ストラップ６０を当該点滴用スタンドの上部ハンガー部７２に懸け、ストラップクリップ６２により安全ストラップ６０の長さを弛みのない状態に調節する。
このように、安全ストラップ６０が上部ハンガー部７２に懸けられることにより、ポールクランプ１２による固定が万一緩んだ場合にも、ベースプレート１０が点滴用スタンドから落下するおそれがなくなり、また上下方向における大きな変位を防止することができる。
【００２４】
この状態のベースプレート１０に対して、脳室ドレナージ回路８２が装着される。具体的には、脳室ドレナージ回路８２の吊下用紐８７がフック３５に懸けられると共に、脳室ドレナージ回路８２の円筒状容器８３の胴部がベースプレート１０の保持部材３６に係止保持された状態とされる。
その結果、脳室ドレナージ回路８２は、その吊下用紐８７による懸架と、保持部材３６による胴部の保持とにより、実際上、ベースプレート１０に一体的に固定された状態となり、従って安定に装着され、揺動することがなく、またベースプレート１０から脱落するおそれが皆無となる。
なお、以上のように脳室ドレナージ回路８２が装着された状態において、液滴吐出口８５は、例えば保持部材３６より下方に位置されて直視可能とされることが必要である。
【００２５】
次に、可動プレート３０を上下方向に移動させることにより、脳室ドレナージ回路８２の内部における液滴吐出口８５のレベルＬが、医師により選定された適正な高さの脳室圧が得られる高さに調節される。具体的には、２つの固定ボルト３２を緩めると、可動プレート３０は、当該固定ボルト３２の軸が上下方向に伸びるスリット２６内を案内されて移動することにより、上下方向に移動可能となる。
【００２６】
而して、可動プレート３０を図１に示された状態から下降させて、通常透明な脳室ドレナージ回路８２の容器壁を通して、液滴吐出口８５の背面にあるメジャー２２の目盛りを直接的に視認することができる。従って、この脳室圧の調節のための脳室ドレナージ回路８２のレベル合わせの操作を、特に熟練を要することなしに、容易に、かつ確実に、そして正確に行うことができる。
【００２７】
このように、脳室ドレナージ回路８２についての所期のレベル合わせが達成された状態で、２つの固定ボルト３２を締めると、可動プレート３０がベースプレート１０に対して固定された状態となり、従って、脳室ドレナージ回路８２が所期のレベルに固定された状態が得られる。
これらの操作の間にも、脳室ドレナージ回路８２は、フック３５による吊下と保持部材３６による保持とによりベースプレート１０に固定的に装着されているので、揺動したり、上下方向に変位したりすることがなく、この点からも、所期のレベル合わせを確実に実行することができる。
【００２８】
以上のように、本発明の脳室ドレナージ回路固定装置は、病院において多数使用されている点滴用スタンドによって使用することができ、専用のスタンド部分を有していない上、基準バー５０をその収納領域５２に位置させることにより基本的にベースプレート１０の面積内にコンパクトに収納することができるので、全体が小型であり、従って非使用時の保管にきわめて便利であり、しかもベッドサイドでの使用においても邪魔になることがない。
そして、このような脳室ドレナージ回路固定装置が適用される患者には、ほとんど例外なしに点滴用スタンドが使用されているので、それを利用することにより、追加のスタンドが不要である。
【００２９】
また、長さ調整が可能な安全ストラップ６０がベースプレート１０に設けられている場合には、当該安全ストラップ６０を点滴用スタンドの上部ハンガー部７２の上部ハンガー部７２に懸けておくことにより、ベースプレート１０の保持が確実となり、点滴用スタンドから脱落するおそれがなくなる。
【００３０】
また、基準バー５０は、水平方向に伸びる基準表示状態と上下方向に伸びる収納状態との間で回動可能に支持されており、収納状態にある当該基準バー５０を係脱自在に保持する係止部である基準バーレスト５４がベースプレート１０に設けられていることにより、当該基準バー５０をその非使用時に邪魔にならない状態に保持することができる。基準バーの設置位置は、図示の例のように、メジャー表示領域２０の左側でなくて右側であってもよく、更に２つの基準バーを両側に設置し、左右両方向においてレベル調節を行うことができるようにすることができる。
更に、上記の例では、ベースプレート１０の幅方向の中央部分にメジャー表示領域２０が形成され、このメジャー表示領域２０の一側および他側に、それぞれ移動支持領域２４および収納領域５２が配置されているので、無駄なスペースがなく、きわめてコンパクトなものとなる。
【００３１】
上記の脳室ドレナージ回路固定装置は、少なくともベースプレート１０、可動プレート３０および基準バー５０を含む構成部材を合成樹脂により形成することにより、軽量なものとすることができ、ベースプレート１０および可動プレート３０のレベル調節の操作が容易となる。そして、フック３５および保持部材３６などをベースプレート１０と一体に形成することも可能である。また、基準バー５０を合成樹脂製とすることにより、適度の可撓性が容易に得られるので、これを利用して基準バーレスト５４への係止およびその解除を容易に行うことができる。
【００３２】
更に、実用上、ベースプレート１０を透明な合成樹脂により形成することが好ましい。この場合には、当該ベースプレート１０の背後の状態を正面側から見ることができるので、視野を大きく遮ることがなく、当該点滴用スタンドに共通に懸けられている点滴の状況を容易に確認することができるので、看護上もきわめて便利である。
【００３３】
【発明の効果】
本願発明によれば、全体が小型で、病院において多数使用されている点滴用スタンドにより使用することができ、非使用時に保管に便利であり、使用時においても邪魔になることがなく、またベースプレートに設けられた長さ調整が可能な安全ストラップを点滴用スタンドの上部ハンガー部に懸けておくことにより、ベースプレートの保持が確実となり、脱落するおそれがなくなる。
【００３４】
本願発明によれば、基準バーを、ベースプレートの係止部に係脱自在に保持させることにより、非使用時に邪魔にならない状態とすることができる。
【００３５】
本願発明によれば、ベースプレートの幅方向の中央部分にメジャー表示領域が形成され、このメジャー表示領域の両側に、可動プレート移動支持機構および基準バー収納領域が設けられている構成とすることにより、無駄なスペースがなく、きわめてコンパクトなものとなる。
【００３６】
本願発明によれば、主要な構成部分が合成樹脂製とされることにより、全体が軽量なものとすることができ、所期のレベル調節の操作を容易に実行することができる。
更に、ベースプレートを透明な合成樹脂により形成することにより、ベースプレートの背後の状態を正面側から見ることができるので、視野を大きく遮ることがなく、看護上もきわめて便利である。
【図面の簡単な説明】
【図１】本発明の脳室ドレナージ回路固定装置の一例の正面図である。
【図２】図１の装置の右側面図である。
【図３】図１の装置に、鎖線で示す脳室ドレナージ回路が装着された状態を示す正面図である。
【図４】図１の装置に、鎖線で示す脳室ドレナージ回路が装着され、かつ鎖線で示す点滴用スタンドのポールに固定された状態を示す右側面図である。
【図５】図１の装置の説明用平面図である。
【図６】脳室ドレナージが適用されている状態の説明図である。
【符号の説明】
１０  ベースプレート
１２  ポールクランプ
１４  凹部
１６  ブロック
１７  クランプボルト
２０  メジャー表示領域
Ｚ  零点
２２  メジャー
２４  可動プレート移動支持領域
２６  スリット
３０  可動プレート
３０Ａ  脳室ドレナージ回路装着用部分
３０Ｂ  固定用部分
３２  固定ボルト
３３  ナット
３５  フック
３６  脳室ドレナージ回路保持部材
３８  メジャー透視窓
４０  ブラケット
５０  基準バー
５２  収納領域
５４  基準バーレスト
５５  ストッパー部
６０  安全ストラップ
６２  ストラップクリップ
７０  点滴用スタンドのポール
７２  点滴用スタンドの上部ハンガー部
８０  脳室ドレナージチューブ
Ｐ  患者
８２  脳室ドレナージ回路
８３  円筒状容器
８４  吐出チューブ
８５  液滴吐出口
８６  排出チューブ
９０  排液バッグ
８７  吊下用紐
８８  フィルター
８９  チューブ用クランプ
９０  排液バッグ
【図１】
0004041207.tif 000002
【図２】
0004041207.tif 000003
【図３】
0004041207.tif 000004
【図４】
0004041207.tif 000005
【図５】
0004041207.tif 000006
【図６】
0004041207.tif 000007